【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
プロセス装置デバイスの診断検査を行うデータ取得システムであって、
装置デバイスの診断検査を管理するためのデータ取得処理単位であって、前記装置デバイスは、前記装置デバイスに関連し、前記装置デバイスをユニークに識別する情報を保存するデジタル情報単位を含み、かつ、前記装置デバイスを識別する情報を前記データ取得処理単位に自動的に送信する、データ取得処理単位と、
第１のデータ送信手段によって前記データ取得単位に連結された信号処理単位であって、前記信号処理単位は、前記信号処理単位をユニークに識別する情報を保存するデジタル情報単位を含み、かつ、前記信号処理単位識別情報を前記データ取得処理単位に自動的に送信する、信号処理単位と、
検査下の前記装置デバイスに連結されるセンサであって、前記センサは、第２のデータ送信手段によって前記信号処理単位にさらに連結され、前記センサは、前記センサをユニークに識別する情報を保存するデジタル情報単位を含み、前記センサ識別情報を前記データ取得処理単位に自動的に送信する、センサと、
前記データ取得システムが自己設定型であるように、検査下で前記装置デバイスに連結された前記センサを励起し、前記励起に起因する複数の検査データ入力信号を受信するために、前記デジタル情報単位のそれぞれから前記データ取得処理単位により受信された前記センサおよび装置デバイス識別情報に基づいて、前記データ取得システムの各使用に関して前記信号処理単位を自動的に構成するコンポーネントとを備え、
前記データ取得システムは携帯型であることを特徴とするデータ取得システム。
【請求項２】
前記データ取得単位に連結された、前記複数の検査データ入力信号を保存するためのデータ保存デバイスをさらに含む、請求項１に記載の診断検査を行うことを特徴とする自己設定型データ取得システム。
【請求項３】
前記センサデジタル情報単位は、シリアル番号と、前記センサの較正情報および感度うちの少なくとも１つを保存する、請求項１に記載の診断検査を行うことを特徴とする自己設定型データ取得システム。
【請求項４】
前記センサデジタル情報単位中に保存された前記情報は、前記データ保存デバイス中に自動的に記録および保存される、請求項３に記載の診断検査を行うことを特徴とする自己設定型データ取得システム。
【請求項５】
前記センサデジタル情報単位は、単一ワイヤ自動識別デバイスを含む、請求項１に記載の診断検査を行うことを特徴とする自己設定型データ取得システム。
【請求項６】
前記センサデジタル情報単位は前記センサ内にインストールされる、請求項１に記載の診断検査を行うことを特徴とする自己設定型データ取得システム。
【請求項７】
前記センサデジタル情報単位は、タグとして前記センサに取り付けられる、請求項１に記載の診断検査を行うことを特徴とする自己設定型データ取得システム。
【請求項８】
検査下の前記装置デバイスと関連付けられた前記デジタル情報単位は、スキャナにより読み出し可能であり、かつ、検査下の前記装置デバイスの近隣に配置される、請求項１に記載の診断検査を行うことを特徴とする自己設定型データ取得システム。
【請求項９】
検査下の前記装置デバイスと関連付けられた前記デジタル情報単位は、前記装置デバイスに関する以下のデータのうち少なくとも１つを保存し、前記以下のデータは、最終検査日時、最終較正日時、検査、較正値、電流設定およびセットポイントリミットである、請求項８に記載の診断検査を行うことを特徴とする自己設定型データ取得システム。
【請求項１０】
前記信号処理単位を自動的に構成する前記コンポーネントは、前記データ取得単位上にインストールされたソフトウェアモジュールを含む、請求項１に記載の診断検査を行うことを特徴とする自己設定型データ取得システム。
【請求項１１】
前記第１のデータ送信手段は、前記信号処理単位と前記データ取得単位との間に有線通信アダプタまたは無線通信アダプタのいずれかを備える、請求項１に記載の診断検査を行うことを特徴とする自己設定型データ取得システム。
【請求項１２】
前記第１のデータ送信手段接続が、イーサネット１００ＢａｓｅＴアダプタを含む、請求項１に記載の診断検査を行うことを特徴とする自己設定型データ取得システム。
【請求項１３】
前記第１のデータ送信手段が無線アダプタを含む、請求項１に記載の診断検査を行うことを特徴とする自己設定型データ取得システム。
【請求項１４】
前記第２のデータ送信手段が、前記信号処理単位と前記センサとの間に有線通信アダプタまたは無線通信アダプタのいずれかを備える、請求項１に記載の診断検査を行うことを特徴とする自己設定型データ取得システム。
【請求項１５】
前記第２のデータ送信手段接続が、イーサネット１００ＢａｓｅＴアダプタを含む、請求項１に記載の診断検査を行うことを特徴とする自己設定型データ取得システム。
【請求項１６】
前記第２のデータ送信手段が無線アダプタを含む、請求項１に記載の診断検査を行うことを特徴とする自己設定型データ取得システム。
【請求項１７】
検査下の前記装置デバイスが、モータ作動弁、空気作動弁および逆止弁のうち少なくとも１つを含む、請求項１に記載の診断検査を行うことを特徴とする自己設定型データ取得システム。
【請求項１８】
前記装置デバイスが、電力生成工場設置の際に実地試験される、請求項１７に記載の診断検査を行うことを特徴とする自己設定型データ取得システム。
【請求項１９】
ソフトウェアユーザインターフェースをさらに備え、前記ソフトウェアユーザインターフェースが、診断検査を制御するためのデータ取得単位を選択し、また、前記ソフトウェアモジュールによって指示された場合、検査すべき前記装置デバイスを選択する、請求項１０に記載の診断検査を行うことを特徴とする自己設定型データ取得システム。
【請求項２０】
自己設定型携帯型データ取得システムを使用してプロセス装置デバイスの診断検査を自動的に行う方法であって、各装置デバイスが、該各装置デバイスに関連するデジタル情報単位を有し、該デジタル情報単位が、該装置デバイスをユニークに識別する情報を保存することを特徴とし、前記方法は、
複数のユニバーサルコネクタを有する信号処理単位および検査下の前記装置デバイスと関連付けられたセンサを含む、前記データ取得システムの複数のコンポーネントそれぞれに関するデジタル情報単位を提供する工程であって、各デジタル情報単位は、対応するコンポーネントをユニークに識別する情報を保存する、工程と、
各デジタル情報単位上に保存された前記識別情報をデータ取得処理単位によって自動的に受信する工程と、
検査下の前記装置デバイスに関連する前記センサを励起するために、前記データ取得単位により受信された前記センサおよび装置デバイス識別情報に基づいて前記信号処理単位を自動的に構成する工程と、
前記信号処理単位による励起に起因して複数の検査データ入力信号を前記装置デバイスに関連する前記センサから受信する工程と、
を備えることを特徴とする、方法。
【請求項２１】
前記複数の検査データ信号をデータ保存デバイス内に保存する工程をさらに含むことを特徴とする、請求項２０に記載の診断検査を自動的に行う方法。
【請求項２２】
シリアル番号ならびに前記センサデジタル情報単位中の較正情報および感度のうちの少なくとも１つを保存する工程をさらに含む、請求項２０に記載の診断検査を自動的に行うことを特徴とする方法。
【請求項２３】
前記センサデジタル情報単位中に保存された前記情報を前記データ保存デバイス中に自動的に記録および保存する工程をさらに含む、請求項２２に記載の診断検査を自動的に行うことを特徴とする方法。
【請求項２４】
前記センサ中にデジタル情報単位をインストールする工程をさらに含む、請求項２０に記載の診断検査を自動的に行うことを特徴とする方法。
【請求項２５】
デジタル情報単位をタグとして前記センサに取り付ける工程をさらに含む、請求項２０に記載の診断検査を自動的に行うことを特徴とする方法。
【請求項２６】
デジタル情報単位をタグとして検査下の前記装置デバイスに取り付ける工程をさらに含む、請求項２０に記載の診断検査を自動的に行うことを特徴とする方法。
【請求項２７】
検査下の前記装置の近隣にデジタル情報単位を配置し、前記デジタル情報単位中に保存されている前記情報をスキャンし、前記スキャンされた情報を前記信号処理単位に送信する工程をさらに含む、請求項２０に記載の診断検査を自動的に行うことを特徴とする方法。
【請求項２８】
検査下の前記装置デバイスに対応する前記デジタル情報単位が、前記装置デバイスに関する以下のデータのうち少なくとも１つを保存し、前記以下のデータが、最終検査日時、最終較正日時、検査、較正値、電流設定およびセットポイントリミットである、請求項２７に記載の診断検査を自動的に行うことを特徴とする方法。
【請求項２９】
前記装置デバイスの診断検査を管理する前記信号処理単位と前記データ取得処理単位との間で情報を通信するための有線接続を提供する工程をさらに含む、請求項２０に記載の診断検査を自動的に行うことを特徴とする方法。
【請求項３０】
前記装置デバイスの診断検査を管理する前記信号処理単位と前記データ取得処理単位との間で情報を通信するための無線接続を提供する工程をさらに含む、請求項２０に記載の診断検査を自動的に行うことを特徴とする方法。
【請求項３１】
前記センサと前記信号処理単位との間で情報を通信するための有線接続を提供する工程をさらに含む、請求項２０に記載の診断検査を自動的に行うことを特徴とする方法。
【請求項３２】
前記センサと前記信号処理単位との間で情報を通信するための無線接続を提供する工程をさらに含む、請求項２０に記載の診断検査を自動的に行うことを特徴とする方法。
【請求項３３】
検査下の前記装置デバイスは、モータ作動弁、空気作動弁および逆止弁のうち少なくとも１つを含む、請求項２０に記載の診断検査を自動的に行うことを特徴とする方法。